(57)【要約】      （修正有）【課題】帽子内部で袋体が嵩張ることがない、折り込み収納状態で携行できる帽子を提供する。【解決手段】使用状態に復元可能で、かつ裏返し状態を経て押し込まれた状態へ変形可能な材料よりなる帽子本体１と、帽子本体１の裏面に沿って裏返し状態で配設されてその外周縁が一部２２を残して前記裏面に止着された袋形成用シート部材２とを備え、帽子本体１を裏返した状態で、シート部材２を、止着された外周縁を境に反転させて開口を有する袋体とし、当該袋体内に帽子本体１を押し込み収納する。【選択図】図３
0003201343.tif 000002
【実用新案登録請求の範囲】
【請求項１】
使用状態に復元可能で、かつ裏返し状態を経て押し込まれた状態へ変形可能な材料よりなる帽子本体と、帽子本体の裏面に沿って裏返し状態で配設されてその外周縁が一部を残して前記裏面に止着された袋形成用シート部材とを備え、前記帽子本体を裏返した状態で、前記シート部材を、止着された外周縁を境に反転させて開口を有する袋体とし、当該袋体内に前記帽子本体を押し込み収納するようにした帽子。
【請求項２】
前記シート部材を一対設け、各シート部材の止着されていない前記一部を対向させて上下位置で重ねて設けた請求項１に記載の帽子。
【請求項３】
前記シート部材を、弾性的に延伸変形可能な材料ないし織り方で構成した請求項１又は２に記載の帽子。
【請求項４】
前記シート部材の前記帽子本体の裏面に対向する面に図形部分を設け、当該図形部分が、前記帽子本体を押し込み収納した前記袋体の表面に露出するようにした請求項１ないし３のいずれかに記載の帽子。
【考案の詳細な説明】
【技術分野】
【０００１】
本考案は帽子に関し、特に折り込み収納状態で携行できる帽子に関するものである。
【背景技術】
【０００２】
折り込み収納可能な帽子としては例えば特許文献１に記載されたような帽子がある。この帽子にはその内側面に予め収納用の袋体が設けてあり、帽子を携行する場合には、上記袋体を裏返して同形状の袋体とし、この中に変形可能な材料よりなる帽子本体を押し込んで収納する。なお、袋体の開口は、開口縁に設けられた閉止部材によって閉鎖されるようになっている。
【先行技術文献】
【特許文献】
【０００３】
【特許文献１】特表２００１−５１８５７１
【考案の概要】
【考案が解決しようとする課題】
【０００４】
しかし、上記従来の帽子では、帽子使用時に袋体が帽子内面で嵩張るとともに、開口を閉止する閉止部材を設ける必要があるという問題があった。
【０００５】
そこで本考案はこのような課題を解決するもので、帽子内部で袋体が嵩張ることがなく、しかも閉止部材を設ける必要が無い帽子を提供することを目的とする。
【課題を解決するための手段】
【０００６】
上記目的を達成するために、本第１考案では、使用状態に復元可能で、かつ裏返し状態を経て押し込まれた状態へ変形可能な材料よりなる帽子本体（１，５）と、帽子本体の裏面に沿って裏返し状態で配設されてその外周縁が一部（２２，６１，７１）を残して前記裏面に止着された袋形成用シート部材（２，６，７）とを備え、前記帽子本体を裏返した状態で、前記シート部材を、止着された外周縁を境に反転させて開口（４１，８１）を有する袋体（４，８）とし、当該袋体内に前記帽子本体を押し込み収納する。
【０００７】
本第１考案においては、帽子本体の裏面には平面的なシート部材が止着されているだけなので、帽子を使用する際に従来のように内部の袋体が嵩張って違和感を生じることがない。
【０００８】
本第２考案では、前記シート部材を一対（６，７）設け、各シート部材の止着されていない前記一部（６１，７１）を対向させて上下位置で重ねて設ける。
【０００９】
本第２考案においては、一対のシート部材によって形成される袋体によって帽子本体を確実に収容することができる。
【００１０】
本第３考案では、前記シート部材（２，６，７）を、弾性的に延伸変形可能な材料ないし織り方で構成する。
【００１１】
本第３考案においては、帽子本体を押し込む際に、袋体を構成するシート部材が延伸変形するから帽子本体を袋体内にスムーズに収容することができる。そして、袋体内に帽子本体を収納した時点で、袋体の開口縁はシート部材の原形復帰力で閉鎖方向へ狭まるから、袋体の開口に特に閉止部材を設ける必要がない。
【００１２】
本第４考案では、前記シート部材（２，６）の前記帽子本体（１，５）の裏面に対向する面に図形部分（３，９）を設け、当該図形部分が、前記帽子本体を押し込み収納した前記袋体（４，８）の表面に露出するようにする。なお、「図形」には文字も含むものとする。
【００１３】
本第４考案においては、表面に現れた図形部分によって、顧客の帽子への愛着が喚起されて販促に寄与するとともに、収納状態の帽子を部屋の装飾等として利用することができる。
【００１４】
上記カッコ内の符号は、後述する実施形態に記載の具体的手段との対応関係を参考的に示すものである。
【考案の効果】
【００１５】
以上のように、本考案の帽子によれば、帽子内部で袋体が嵩張ることがないから違和感が無く、また閉止部材を特に設ける必要が無い。
【図面の簡単な説明】
【００１６】
【図１】本考案の第１実施形態における、使用状態の帽子本体の全体側面図である。
【図２】帽子収納過程における、裏返した状態の帽子本体の全体側面図である。
【図３】帽子収納過程における、上半裾部を折り返した状態の帽子本体の側面図である。
【図４】帽子収納過程における、袋体に帽子本体の大部分を押し込み収納した状態の背面図である。
【図５】帽子収納過程における、袋体に帽子本体の全部を押し込み収納した状態の正面図である。
【図６】本考案の第２実施形態における、上下反転させた帽子本体の全体斜視図である。
【図７】上下反転させた帽子本体の平面図である。
【図８】帽子収納過程における、鍔部の一部を折り畳んだ状態の帽子本体の平面図である。
【図９】帽子収納過程における、鍔部を全部折り畳んだ状態の帽子本体の平面図である。
【図１０】帽子収納過程における、一方のシート部材を後方へ反転させる際の帽子本体の平面図である。
【図１１】帽子収納過程における、一方のシート部材全体を後方へ反転させた状態の帽子本体の正面図である。
【図１２】帽子収納過程における、他方のシート部材全体を後方へ反転させる際の帽子本体の正面図である。
【図１３】帽子収納過程における、袋体に帽子本体の全部を押し込み収納した状態の背面図である。
【図１４】帽子収納過程における、袋体に帽子本体の全部を押し込み収納した状態の正面図である。
【考案を実施するための形態】
【００１７】
なお、以下に説明する実施形態はあくまで一例であり、本考案の要旨を逸脱しない範囲で当業者が行う種々の設計的改良も本考案の範囲に含まれる。
【００１８】
（第１実施形態）
本実施形態では本考案を毛糸で編んだニット帽に適用した例について説明する。図１には使用状態のニット帽の外観を示す。帽子本体１は全体が編んだ毛糸で一端閉鎖の筒状に形成されて、後述するように、袋体内に押し込まれた状態へ変形可能である。帽子本体１は閉鎖された頂部１１が側面視で半円形をなし、裾部１２は全周が下方へ延びて、下方へ開放する袋状となっている。そして、図示するように開口縁１３を一定幅で上方へ折り上げて使用する（被る）。
【００１９】
図２には、帽子本体１の頂部１１を開口１４（図１参照）から下方へ引き出して全体を裏返し、上下が反対になった状態を示す。図示するように、帽子本体１の裏面には頂部１１側の半部にこれに沿って一枚のシート部材２が止着されている。
【００２０】
シート部材２は本実施形態では布製で円形に成形され、裏返し状態でその外周縁の略上半周２１のみが帽子本体１の裏面に縫着されている。シート部材２は本実施形態では弾性的に延伸変形可能な織り方で製造されている。なお、シート部材２を弾性的に延伸変形可能な材料で製造してももちろん良い。
【００２１】
シート部材２には、帽子本体１の裏面に対向する面（図２ではシート部材２の裏側面）に図形部分３として、本実施形態では漫画的な熊の顔が縫製等によって描かれている。なお、熊の顔の頭部両側にはそれぞれ折り込まれた耳片３１の基端が縫着されている。
【００２２】
このように、本実施形態では、帽子本体１の裏面にこれに沿って平面的な一枚のシート部材２が止着されているだけであるから、帽子を使用する際に従来のように内部の袋体が嵩張って違和感を生じることはない。
【００２３】
このような構造の帽子を携行のために収納する場合には、図１に示す使用状態から、図２に示すように裏返し状態とし、裏返した帽子本体１の裾部１２側の半部（図２の上半部）を図示の破線に沿って後ろ側へ折り返し、頂部１１側に重ねる（図３）。この状態でシート部材２の縫着されていない略下半周２２を上方へ引き上げつつ後方へ反転させる。
【００２４】
このようにすると、シート部材２が覆っていた帽子本体１の頂部１１側の裏面と、反転したシート部材２によって開口４１を有する袋体４が形成される（図４）。この際、シート部材２の裏側面に描かれた熊の顔が頭部両側の耳片３１を立てつつ袋体４の表面に現れる。
【００２５】
袋体４内に帽子本体１の残る部分を押し込みつつ全体を前方に転回させ（図５）、さらに袋体４内に帽子本体１を完全に押し込んで全体の形を整える。このようにして帽子本体１が袋体４内に押し込み収納される。そして、表面に現れた図形部分３によって、顧客の帽子への愛着が喚起されて販促に寄与するとともに、収納状態の帽子を部屋の装飾等として利用することができる。
【００２６】
本実施形態ではシート部材２を弾性的に延伸変形可能な織り方で製造しているから、袋体４内に帽子本体１を押し込む際に袋体４を構成するシート部材２が延伸変形して帽子本体１を袋体４内にスムーズに収容することができる。そして、袋体４内に帽子本体１全体を収納した時点で、袋体４の開口４１縁はシート部材２の原形復帰力で閉鎖方向へ狭まる。したがって、袋体４の開口４１に特に閉止部材を設ける必要がない。
【００２７】
（第２実施形態）
本実施形態では布製ハット帽に本考案を適用した例について説明する。図６にはハット帽を上下反転させた斜視図を示す。ハット帽の帽子本体５は、頂面（図６の下面）が閉鎖された略円筒形の本体部５１の開口縁全周に一定幅の鍔部５２が形成された形状である。上記帽子本体５は全体が布製で、後述するように折り畳まれて袋体内に押し込まれた状態へ変形可能である。
【００２８】
図７は反転させたハット帽の平面図を示し、本体部５１の閉鎖頂面の内面（裏面）に沿って裏返し状態で二枚のシート部材６，７が重ねて止着されている。すなわち、下側（外側）シート部材６は本体部５１の頂面（端面）よりやや小さい横長円形状のもので、一側縁６１（図７の上縁）を除く外周縁の大部分が本体部５１の頂面裏面（内面）に縫着されている。シート部材６には、本体部５１頂面の裏面に対向する面（図７ではシート部材６の裏側面）に、例えば漫画的なパンダの顔のような図形部分が縫製等によって描かれている（図示略）。そして、本実施形態ではパンダの頭部両側の適当部分に、折り込まれた状態で耳片６２の基端が縫着されている。
【００２９】
上側（内側）シート部材７は横長の略半円形のもので、シート部材６の半分よりやや大きい領域を覆って、端縁７１（図７の下縁）を除く外周縁が本体部５１の頂面裏面（内面）に縫着されている。なお、上記各シート部材６，７は本実施形態では弾性的に延伸変形可能な織り方で製造されている。なお、シート部材６，７を弾性的に延伸変形可能な材料で製造しても良い。
【００３０】
このように、本実施形態では、帽子本体５の裏面にこれに沿って平面的な二枚のシート部材６，７が止着されているだけであるから、帽子使用時に従来のように内部の袋体が嵩張って違和感を生じることはない。
【００３１】
このような構造の帽子を携行のために収納状態とする場合には、帽子本体５の鍔部５２を上下左右で紙面後方へ折り返して（図８）全体を裏返した状態にする（図９）。これにより、本体部５１の閉鎖頂面に止着されたシート部材６，７が前面に位置するようになる。この状態で、シート部材７の縫着されていない端縁７１を上方へ引き上げつつ（図１０）後方へ反転させる（図１１）。反転させられたシート部材７は帽子本体５の表面との間に開口を有する袋体を形成し、当該袋体内に帽子本体５の一部が押し込まれる。本実施形態ではシート部材７を弾性的に延伸変形可能な織り方で製造しているから、袋体内に帽子本体５を押し込む際に袋体を構成するシート部材７が延伸変形して帽子本体５を袋体内にスムーズに収容することができる。
【００３２】
この状態で、シート部材６の全体が前面に露出するから（図１１）、その縫着されていない上縁６１を引き下げつつシート部材６を後方へ反転させる（図１２）。反転させられたシート部材６は帽子本体５の表面との間に開口８１を有する袋体８を形成し（図１３）、当該袋体８内にシート部材７と共に帽子本体５の全体が完全に押し込まれる。この際、シート部材７の裏側面に描かれた図形部分９が頭部両側の耳片６２を立てつつ袋体８の後面に逆さ状態で露出させられる。
【００３３】
そこで、全体の前後および上下を逆にすると、図形部分（漫画的なパンダの顔）９が前面全体に現れた袋体８内に、帽子本体５が完全に押し込み収納された状態となる（図１４）。シート部材６は弾性的に延伸変形可能な織り方で製造されているから、袋体８内に帽子本体５を押し込む際に袋体８を構成するシート部材６が延伸変形して帽子本体５を袋体８内にスムーズに収容することができる。本実施形態によっても第１実施形態と同様の効果が得られる。
【符号の説明】
【００３４】
１…帽子本体、２…シート部材、２２…シート部材の一部、３…図形部分、４…袋体、４１…開口、５…帽子本体、６…シート部材、６１…シート部材の一部、７…シート部材、７１…シート部材の一部、８…袋体、８１…開口、９…図形部分。
【図１】
0003201343.tif 000003
【図２】
0003201343.tif 000004
【図３】
0003201343.tif 000005
【図４】
0003201343.tif 000006
【図５】
0003201343.tif 000007
【図６】
0003201343.tif 000008
【図７】
0003201343.tif 000009
【図８】
0003201343.tif 000010
【図９】
0003201343.tif 000011
【図１０】
0003201343.tif 000012
【図１１】
0003201343.tif 000013
【図１２】
0003201343.tif 000014
【図１３】
0003201343.tif 000015
【図１４】
0003201343.tif 000016